(57)【要約】【課題】  プロセスの上流側である現像部分においては、非画像範囲に対するカブリトナーの付着をを避け、下流側の二次転写の部分での、前記カブリトナーの付着で起こる転写ローラ表面へのトナー転写による、転写材Ｐへの裏汚れを解消した画像形成装置の提供。【解決手段】  帯電手段、像露光手段、現像器によって感光体上にトナー像を形成し、前記感光体上のトナー像を転写手段により転写する画像形成装置であって、前記現像器の現像ローラにＤＣバイアス及びＡＣバイアスが印加されると共に、画像範囲では前記ＤＣバイアス及びＡＣバイアスを定常の出力状態とし、非画像範囲では前記ＡＣバイアスのみ出力を変更することを特徴とする画像形成装置。【選択図】        図２
2006163347.tif 000002
【特許請求の範囲】
【請求項１】
帯電手段、像露光手段、現像器によって感光体上にトナー像を形成し、前記感光体上のトナー像を転写手段により転写する画像形成装置であって、
前記現像器の現像ローラにＤＣバイアス及びＡＣバイアスが印加されると共に、
画像範囲では前記ＤＣバイアス及びＡＣバイアスを定常の出力の状態とし、非画像範囲では前記ＡＣバイアスのみ出力を変更することを特徴とする画像形成装置。
【請求項２】
前記ＡＣバイアスは前記非画像範囲でゼロとされることを特徴とする請求項１に記載の画像形成装置。
【請求項３】
前記ＡＣバイアスは前記非画像範囲で前記定常の出力より減少されることを特徴とする請求項１に記載の画像形成装置。
【請求項４】
前記帯電手段は前記画像範囲及び前記非画像範囲とも所定の出力にて帯電を行うことを特徴とする請求項１〜３の何れか１項に記載の画像形成装置。
【請求項５】
前記転写手段の転写印加バイアスを、画像範囲では定常の出力の状態とし、非画像範囲では出力を変更した状態とすることを特徴とする請求項１〜４の何れか１項に記載の画像形成装置。
【請求項６】
帯電手段、像露光手段、現像器によって感光体上にトナー像を形成し、前記感光体上のトナー像を転写手段により転写する画像形成装置であって、
前記転写手段の転写印加バイアスを、画像範囲では定常の出力状態とし、非画像範囲では出力を変更した状態とすることを特徴とする画像形成装置。
【請求項７】
前記転写印加バイアスは、非画像範囲では出力を減少した状態とされることを特徴とする請求項６に記載の画像形成装置。
【請求項８】
前記非画像範囲は複数並んだ前記画像範囲の間に位置することを特徴とする請求項１〜７の何れか１項に記載の画像形成装置。
【請求項９】
前記画像範囲はそれぞれ少なくとも一つのジョブ中に形成される複数の画像に対応し、前記非画像範囲は前記ジョブ中における非画像部に対応することを特徴とする請求項１〜８の何れか１項に記載の画像形成装置。
【請求項１０】
前記帯電手段は前記ジョブ中は所定の出力を保持して帯電を行うことを特徴とする請求項９に記載の画像形成装置。
【請求項１１】
前記画像形成装置は更に、前記トナー像を担持する中間転写体を有し、前記転写手段は前記中間転写体に前記トナー像を転写することを特徴とする請求項１〜１０の何れか１項に記載の画像形成装置。
【請求項１２】
前記転写手段は前記中間転写体に前記トナー像を転写する一次転写手段及び前記中間転写体から転写材に前記トナー像を転写する二次転写手段を有することを特徴とする請求項１１に記載の画像形成装置。
【請求項１３】
前記二次転写手段は前記中間転写体に圧接可能な二次転写ロールを含むことを特徴とする請求項１２に記載の画像形成装置。
【請求項１４】
少なくとも、前記一次転写手段は非画像部に対して定常の出力を変更するが、前記二次転写手段は非画像部に対して、画像部に対すると同様に定常の出力を変更しないことを特徴とする請求項１２又は１３に記載の画像形成装置。
【請求項１５】
前記転写手段は前記トナー像を前記感光体から直接転写材に転写することを特徴とする請求項１〜１０の何れか１項に記載の画像形成装置。
【請求項１６】
前記転写手段は転写材を搬送する搬送ベルトを有すると共に前記トナー像を前記搬送ベルト上の前記転写材に直接転写することを特徴とする請求項１５に記載の画像形成装置。
【請求項１７】
前記画像形成装置は前記現像器を色毎に複数有し、前記中間転写体又は前記転写材上に各トナー画像が合成されたカラー画像を形成可能であることを特徴とする請求項１〜１６の何れか１項に記載の画像形成装置。
【請求項１８】
前記画像形成装置は前記転写手段を色毎に複数有し、前記中間転写体又は前記転写材上に各トナー画像が合成されたカラー画像を形成可能であることを特徴とする請求項１〜１７の何れか１項に記載の画像形成装置。
【発明の詳細な説明】
【技術分野】
【０００１】
本発明は感光体又は中間転写体から転写材にトナー画像が転写されるときに起こる転写材の裏汚れを解消した画像形成装置に関する。
【背景技術】
【０００２】
従来のカラー画像形成装置は、中間転写体方式、転写材直接転写方式によらず、それぞれの感光体と中間転写体又は転写材を搬送する搬送ベルトが接触している。この中間転写体としての無端ベルト状中間転写体又は搬送ベルトが感光体に接触している状態では、それぞれの感光体や現像器を独立に停止させることはできない。感光体とベルトが接触している状態で、その一方が停止すると摺擦により回転している方の面が傷付いてしまう為、感光体と前記無端ベルト状中間転写体又は搬送ベルトは完全に離間してからそれぞれの駆動を停止するようにしてある。また、現像器は感光体と独立に停止すると、感光体の電位状態によってトナーが付着したり、キャリアが付着したりするために、感光体が停止できる状態になってから帯電装置を停止し、その後、感光体や現像器の駆動を停止できるようにしてある。したがって、現像機能が常に働いているので画像範囲間の非画像範囲にもトナー転写が行われ、幾分の画像カブリの転写が為されることがある。
【０００３】
また、中間転写体から転写材Ｐとしての紙に転写する二次転写ローラが、ブレードやブラシといったクリーニング手段を有する場合には常時クリーニングできるために問題ないが、二次転写ローラの清掃機構としてクリーニング手段が無い場合には、画像範囲と次の画像範囲との間の非画像範囲に付着しているトナーが二次転写ローラに付着し、次の紙の裏面に転写され紙の裏汚れとなる。反対に、二次転写ローラの清掃機構がある場合にも、別の不具合な点がある。即ち、ブレードやブラシを当接する場合には、トナーを一回の清掃にて、かき取る必要があるために押圧力を上昇させたり、ブラシの場合には回転数の差を設けたりする。しかし、これにより２次転写ローラのトルクが高くなり、専用の駆動が必要になったりする。従って専用の駆動装置を必要としなく、トナーによる紙汚れの発生のない別の安定した簡単な手段の提供が望まれる。
【０００４】
特許文献１には、接触帯電によって転写を行い、クリーニング手段を持たない方式の転写プロセスにおいて、環境状態検知手段の出力に応じて、感光体への帯電印加量を変えて入力し、環境状態に応じた何らかのカブリ改善を計ったものがあるが、十分とは言えない。
【特許文献１】特開２００１−３５０３２３号公報
【発明の開示】
【発明が解決しようとする課題】
【０００５】
本発明は上述のような不具合を解決し、プロセスの上流側である現像部分においては非画像範囲に対してはカブリトナーが付着するような現象を避け、下流側の二次転写の部分では、上流側でのトナー付着現象によって起こる転写ローラ表面へのトナー転写を避け、転写材Ｐへの裏汚れを解消するようにした画像形成装置を提供することを課題目的にする。
【課題を解決するための手段】
【０００６】
この目的は下記の構成の何れかによって達成される。
【０００７】
（請求項１）
帯電手段、像露光手段、現像器によって感光体上にトナー像を形成し、前記感光体上のトナー像を転写手段により転写する画像形成装置であって、
前記現像器の現像ローラにＤＣバイアス及びＡＣバイアスが印加されると共に、
画像範囲では前記ＤＣバイアス及びＡＣバイアスを定常の出力の状態とし、非画像範囲では前記ＡＣバイアスのみ出力を変更することを特徴とする画像形成装置。
【０００８】
（請求項２）
前記ＡＣバイアスは前記非画像範囲でゼロとされることを特徴とする請求項１に記載の画像形成装置。
【０００９】
（請求項３）
前記ＡＣバイアスは前記非画像範囲で前記定常の出力より減少されることを特徴とする請求項１に記載の画像形成装置。
【００１０】
（請求項４）
前記帯電手段は前記画像範囲及び前記非画像範囲とも所定の出力にて帯電を行うことを特徴とする請求項１〜３の何れか１項に記載の画像形成装置。
【００１１】
（請求項５）
前記転写手段の転写印加バイアスを、画像範囲では定常の出力の状態とし、非画像範囲では出力を変更した状態とすることを特徴とする請求項１〜４の何れか１項に記載の画像形成装置。
【００１２】
（請求項６）
帯電手段、像露光手段、現像器によって感光体上にトナー像を形成し、前記感光体上のトナー像を転写手段により転写する画像形成装置であって、
前記転写手段の転写印加バイアスを、画像範囲では定常の出力状態とし、非画像範囲では出力を変更した状態とすることを特徴とする画像形成装置。
【００１３】
（請求項７）
前記転写印加バイアスは、非画像範囲では出力を減少した状態とされることを特徴とする請求項６に記載の画像形成装置。
【００１４】
（請求項８）
前記非画像範囲は複数並んだ前記画像範囲の間に位置することを特徴とする請求項１〜７の何れか１項に記載の画像形成装置。
【００１５】
（請求項９）
前記画像範囲はそれぞれ少なくとも一つのジョブ中に形成される複数の画像に対応し、前記非画像範囲は前記ジョブ中における非画像部に対応することを特徴とする請求項１〜８の何れか１項に記載の画像形成装置。
【００１６】
（請求項１０）
前記帯電手段は前記ジョブ中は所定の出力を保持して帯電を行うことを特徴とする請求項９に記載の画像形成装置。
【００１７】
（請求項１１）
前記画像形成装置は更に、前記トナー像を担持する中間転写体を有し、前記転写手段は前記中間転写体に前記トナー像を転写することを特徴とする請求項１〜１０の何れか１項に記載の画像形成装置。
【００１８】
（請求項１２）
前記転写手段は前記中間転写体に前記トナー像を転写する一次転写手段及び前記中間転写体から転写材に前記トナー像を転写する二次転写手段を有することを特徴とする請求項１１に記載の画像形成装置。
【００１９】
（請求項１３）
前記二次転写手段は前記中間転写体に圧接可能な二次転写ロールを含むことを特徴とする請求項１２に記載の画像形成装置。
【００２０】
（請求項１４）
少なくとも、前記一次転写手段は非画像部に対して定常の出力を変更するが、前記二次転写手段は非画像部に対して、画像部に対すると同様に定常の出力を変更しないことを特徴とする請求項１２又は１３に記載の画像形成装置。
【００２１】
（請求項１５）
前記転写手段は前記トナー像を前記感光体から直接転写材に転写することを特徴とする請求項１〜１０の何れか１項に記載の画像形成装置。
【００２２】
（請求項１６）
前記転写手段は転写材を搬送する搬送ベルトを有すると共に前記トナー像を前記搬送ベルト上の前記転写材に直接転写することを特徴とする請求項１５に記載の画像形成装置。
【００２３】
（請求項１７）
前記画像形成装置は前記現像器を色毎に複数有し、前記中間転写体又は前記転写材上に各トナー画像が合成されたカラー画像を形成可能であることを特徴とする請求項１〜１６の何れか１項に記載の画像形成装置。
【００２４】
（請求項１８）
前記画像形成装置は前記転写手段を色毎に複数有し、前記中間転写体又は前記転写材上に各トナー画像が合成されたカラー画像を形成可能であることを特徴とする請求項１〜１７の何れか１項に記載の画像形成装置。
【発明の効果】
【００２５】
例えば二次転写ローラに対してクリーニング手段を設けない方式を持ち、且つ画像範囲外、即ち非画像範囲に、一次転写の出力を変更して下げ、且つ、現像バイアスの中でＡＣバイアスの出力を定常値より減少させたり、停止させるようにした上記構成の本発明の画像形成装置によって、中間転写体上のかぶりトナーによる転写材の裏汚れ現象や、キャリア付着による感光体の傷の発生、更にはかぶり発生のためのトナー消費量の増加が解消され、安定した高画質で清浄なプリント画像が得られるようになった。
【００２６】
また、二次転写ローラに対してクリーニング手段を設けないで済むので構造が簡略化され、製造コストが軽減され、取り扱い性も向上した。
【００２７】
上記の例は、一次転写手段、二次転写手段の２つを合わせて転写手段を構成するものを装着した画像形成装置であるが、そのような構成のもの以外で１つの転写手段で転写を完了するものを装着した本発明の他の画像形成装置においても、転写材への裏汚れやキャリア付着による感光体の傷の発生が抑制され、トナー消費量も増加することのない効果が得られるようになった。
【発明を実施するための最良の形態】
【００２８】
以下、本発明の実施の形態を説明する。なお、本欄の記載は請求項の技術的範囲や用語の意義を限定するものではない。また、以下の、本発明の実施の形態における断定的な説明は、ベストモードを示すものであって、本発明の用語の意義や技術的範囲を限定するものではない。
【００２９】
図１は、本発明の画像形成装置の実施の形態としてのカラー用の画像形成装置を示す概略構成図である。
【００３０】
この画像形成装置１００は、タンデム構成のフルカラーの画像形成装置と称せられるもので、複数組の画像形成部１０Ｙ，１０Ｍ，１０Ｃ，１０Ｋと、中間転写体のユニットとして無端ベルト状中間転写体ユニット７と、給紙搬送手段２１及び定着器２４とから成る。画像形成装置の本体Ａの上部には、原稿画像読み取り装置ＳＣが配置されている。
【００３１】
イエロー色の画像を形成する画像形成部１０Ｙは、ドラム状の感光体１Ｙ、該感光体１Ｙの周囲に配置された帯電装置２Ｙ、像露光手段３Ｙ、現像器４Ｙ、一次転写手段としての一次転写ローラ５Ｙ、クリーニング手段６Ｙを有する。マゼンタ色の画像を形成する画像形成部１０Ｍは、ドラム状の感光体１Ｍ、該感光体１Ｍの周囲に配置された帯電装置２Ｍ、像露光手段３Ｍ、現像器４Ｍ、一次転写手段としての一次転写ローラ５Ｍ、クリーニング手段６Ｍを有する。シアン色の画像を形成する画像形成部１０Ｃは、ドラム状の感光体１Ｃ、該感光体１Ｃの周囲に配置された帯電装置２Ｃ、像露光手段３Ｃ、現像器４Ｃ、一次転写手段としての一次転写ローラ５Ｃ、クリーニング手段６Ｃを有する。黒色画像を形成する画像形成部１０Ｋは、ドラム状の感光体１Ｋ、該感光体１Ｋの周囲に配置された帯電装置２Ｋ、像露光手段３Ｋ、現像器４Ｋ、一次転写手段としての一次転写ローラ５Ｋ、クリーニング手段６Ｋを有する。
【００３２】
中間転写体ユニットとしての無端ベルト状中間転写体ユニット７は、複数のローラにより巻回され、回動可能に支持された半導電性エンドレスベルト状の中間転写体としての無端ベルト状中間転写体７０を有する。
【００３３】
画像形成部１０Ｙ，１０Ｍ，１０Ｃ，１０Ｋより形成された各色の画像は、一次転写ローラ５Ｙ，５Ｍ，５Ｃ，５Ｋにより、回動する無端ベルト状中間転写体７０上に逐次転写されて、合成されたカラー画像が形成される。給紙カセット２０内に収容された記録媒体として用紙等の転写材Ｐは、給紙手段２１により給紙され、複数の中間ローラ２２Ａ，２２Ｂ，２２Ｃ，２２Ｄ、レジストローラ２３を経て、二次転写手段としての二次転写ローラ５Ａに搬送され、転写材Ｐ上にカラー画像が一括転写される。カラー画像が転写された転写材Ｐは、定着器２４により定着処理され、排紙ローラ２５に挟持されて機外の排紙トレイ２６上に載置される。
【００３４】
一方、二次転写手段としての二次転写ローラ５Ａにより転写材Ｐにカラー画像を転写した後、転写材Ｐを曲率分離した無端ベルト状中間転写体７０は、クリーニング手段６Ａにより残留トナーが除去される。
【００３５】
画像形成処理中、一次転写ローラ５Ｋは常時、感光体１Ｋに圧接している。他の一次転写ローラ５Ｙ，５Ｍ，５Ｃはカラー画像形成時にのみ、それぞれ対応する感光体１Ｙ，１Ｍ，１Ｃに圧接する。
【００３６】
二次転写ローラ５Ａは、ここを転写材Ｐが通過して二次転写が行われる時にのみ、無端ベルト状中間転写体７０に圧接する。
【００３７】
また、装置本体Ａから筐体８を支持レール８２Ｌ，８２Ｒを介して引き出し可能にしてある。
【００３８】
筐体８は、画像形成部１０Ｙ，１０Ｍ，１０Ｃ，１０Ｋと、無端ベルト状中間転写体ユニット７とから成る。
【００３９】
画像形成部１０Ｙ，１０Ｍ，１０Ｃ，１０Ｋは、垂直方向に縦列配置されている。感光体１Ｙ，１Ｍ，１Ｃ，１Ｋの図示左側方には無端ベルト状中間転写体ユニット７が配置されている。無端ベルト状中間転写体ユニット７は、ローラ７１，７２，７３，７４，７６，７７を巻回して回動可能な無端ベルト状中間転写体７０、一次転写ローラ５Ｙ，５Ｍ，５Ｃ，５Ｋ及びクリーニング手段６Ａとから成る。
【００４０】
筐体８の引き出し操作により、画像形成部１０Ｙ，１０Ｍ，１０Ｃ，１０Ｋと、無端ベルト状中間転写体ユニット７とは、一体となって、本体Ａから引き出される。
【００４１】
このように感光体１Ｙ，１Ｍ，１Ｃ，１Ｋ上に帯電、露光、現像によりトナー像を形成し、無端ベルト状中間転写体７０上に各色のトナー像を一次転写して重ね合わせ、それを一括して転写材Ｐに二次転写し、定着器２４で加圧及び加熱により固定して定着する。トナー像を無端ベルト状中間転写体７０に転移させた後の感光体１Ｙ，１Ｍ，１Ｃ，１Ｋは、クリーニング手段６Ｙ，６Ｍ，６Ｃ，６Ｋで転写時に各感光体上に残された残留トナーを清掃した後、上記の帯電、露光、現像のサイクルに入り、次の像形成が行われる。
【００４２】
本発明の実施の形態例は、各感光体１Ｙ，１Ｍ，１Ｃ，１Ｋの直径が６０ｍｍのＯＰＣで、現像剤は２成分現像剤、プロセススピードが２２０ｍｍ／ｓで、中間転写体として無端ベルト状中間転写体７０を採用した画像形成装置であり、該画像形成装置は、タンデム構成のフルカラーの画像形成装置１００であり、その一次転写ローラは直径２０ｍｍのスポンジ（登録商標）ローラであり、その抵抗値は１×１０7Ωであり、一次転写の転写制御は定電流制御を用いている。
【００４３】
本発明では理論的画像形成範囲の副走査方向前端及び後端近傍に広げる長さとして２ｍｍを設定し、それを含めた範囲内を好ましい画像範囲とし、その範囲を十分余裕を見た大きさにしてある。しかし、画像範囲はそれに限定されず、前述の理論的画像範囲にしておいても良い。その２ｍｍを時間的な拡張範囲に換算したものが図２のタイミングチャートに記してある。
【００４４】
本発明において、現像器に掛けるＤＣバイアスは画像範囲でも非画像範囲でも定常出力とし、ＡＣバイアスを画像範囲では定常出力値とし、非画像範囲では変更させるようにした。変更は減少させる方向が好ましくゼロにすることがより好ましい。
【００４５】
また、帯電手段は所定の出力によって感光体を帯電させるものであり、この帯電手段は画像形成のジョブ中は所定の出力を保持して帯電を行っている。
【００４６】
図１のように一次転写手段、二次転写手段の２つを合わせて転写手段を構成するものと、１つの転写手段で転写を完了するものとがある。
【００４７】
一次転写はスポンジ材の単層半導電性ローラにバイアス印加をかける方式であり、定電流印加方式である。画像範囲では定常出力値とし、非画像範囲ではゼロではなく、定常出力よりも小さくした。
【００４８】
二次転写は二次転写ローラ５Ａとバックアップローラ７４で無端ベルト状中間転写体７０及び転写材Ｐを挟持して行い、二次転写ローラ５Ａとバックアップローラ７４共に半導電ソリッドゴムに表面コーティング層を施したものであり、バックアップローラ７４の芯金は接地し、二次転写ローラ５Ａにバイアス印加をした。そして定電流の印加方式を用いた。二次転写ローラ５Ａのバイアス印加は画像部には定常値を施す。しかし、非画像部に定常値よりも減少した値を印加した場合と、非画像部に定常値を印加した場合と差は無かった。
【００４９】
ここで、上記一次転写手段、二次転写手段の２つを含む転写手段では、少なくとも一次転写手段に、非画像部に対して出力変更した状態、特に出力を減少させた状態で、転写バイアスが掛けられるようにした。
【００５０】
感光体の画像範囲及び非画像範囲、現像器のＡＣバイアスの出力制御及び一次転写バイアスの出力制御等の時間に対する作動線図は図２に示す通りである。
【００５１】
また、図３の画像形成部１０Ｙ，１０Ｍ，１０Ｃ，１０Ｋの拡大図及び図２の作動線図に示すように、本発明では、非画像範囲における現像ローラ４１のＡＣバイアス４３の出力はゼロにしたが、ゼロよりも大きいが画像範囲の定常値よりも減少させた状態にしておいても良い。一次転写ローラ５Ｙ，５Ｍ，５Ｃ，５Ｋの一次転写印加バイアス５１はゼロではなく、定常出力より小さい値に減少させた。なお、図３に示すように、各現像器４Ｙ，４Ｍ，４Ｃ，４Ｋの現像ローラ４１に掛けられる現像バイアスは直流電圧のＤＣバイアス４２及びＡＣバイアス４３であるが、ＤＣバイアス４２は非画像範囲においても画像範囲と同じように定常のバイアスが掛けられている。しかしＡＣバイアスは非画像範囲においては、定常出力値より変化させて減少させるかゼロにするようにした。
【００５２】
また、転写手段としては、図１に示した無端ベルト状中間転写体７０の代わりに搬送ベルトを用い、図示はしてないがこの上に転写材を同期して搬送させ、１つの転写手段にて転写材上に画像を一度に転写させる方式の画像形成装置にすることもできる。また搬送ベルトの代わりにその他の搬送手段を設けたものにすることもできる。
【００５３】
上記非画像範囲は複数並んだ前記画像範囲の間に位置するものであり、また、前記各画像範囲は少なくとも一つのジョブ中に形成される複数の画像に対応し、前記非画像範囲は前記ジョブ中における非画像部に対応している。
【実施例】
【００５４】
次に、本発明の画像形成装置による転写材に対する裏汚れ発生の有無のテストを行った。
【００５５】
本発明の実施例１、２と比較例１、２、３においては、現像ローラ４１のＡＣバイアス及びＤＣバイアスと帯電出力と一次転写出力（印加バイアス）とを、非画像範囲と画像範囲とでそれぞれ定常値にしたり、それより減少させた値にしたり或いはゼロにさせ、２０万コピーの耐久実写のテストを行い、裏汚れの発生、キャリア付着による感光体の傷、トナー消費量を評価した。その結果を表１に示す。
【００５６】
その２０万コピーの耐久実写テストは、０、５、１０、１５、２０万コピー毎にＡ４判用紙の複写サンプルを採取し、転写材Ｐとしての用紙の先端及び後端の裏汚れの有無を調べた。○は実用上問題になる裏汚れが全くなく、×は少しでも目立つ裏汚れがあることを表し、△はやや判定ができにくかったもので、これを目視で判断して決定した。
【００５７】
【表１】
2006163347.tif 000003
【００５８】
本発明の実施例１は、現像ローラ４１のＡＣバイアスが画像範囲では定常値（ｐ−ｐで１ｋＶ）にＯＮ、非画像範囲ではＯＦＦ（ゼロ）、現像ＤＣバイアスが画像範囲でも非画像範囲でも定常値（安定化制御で決められる値）にＯＮ、帯電出力が非画像範囲と画像範囲とを問わず一律に定常値（７００μＡ）にＯＮ、一次転写出力（印加バイアス）の出力が画像範囲では定常値（３５μＡ）にＯＮ、非画像範囲では定常値から縮小した値（５μＡ）に印加、裏面汚れ、キャリア付着による感光体の傷ともに発生がなかった。またトナー消費量も正常であった。
【００５９】
また、本発明の実施例２として、現像のＡＣバイアスが画像範囲では定常値（ｐ−ｐで１ｋＶ）にＯＮ、非画像範囲ではゼロにＯＦＦでなく、定常値よりも低い値に減少させた状態についてもテストしたが、ほぼ同様な良い結果が得られた。
【００６０】
比較例１は現像ローラ４１のＡＣバイアスとＤＣバイアスと帯電出力と一次転写出力（印加バイアス）とを、非画像範囲と画像範囲とを問わず一律に各定常値にＯＮしっぱなしのテストである。ＡＣバイアスはこれは粒径が細かいトナーまで非画像範囲で現像してしまい感光体を被らせ、更に非画像部の、かぶりトナーが一次転写され、それが更に二次転写されて結果的に転写材の裏汚れが発生する。画像部では粒径が細かいトナーが現像されるが画像の中に固定されるので支障はないと思われる。何れにしても、トナー消費量が増えてしまう。
【００６１】
比較例２は現像ローラ４１のＡＣバイアスが画像範囲では定常値にＯＮ、非画像範囲ではゼロにＯＦＦ、現像ＤＣバイアスが画像範囲では定常値にＯＮ、非画像範囲ではゼロにＯＦＦ、帯電出力が非画像範囲と画像範囲とを問わず一律に定常値にＯＮ、一次転写出力（印加バイアス）の出力が画像範囲では定常値にＯＮ、非画像範囲では定常値より縮小した値に印加した場合であり、非画像部にはほぼキャリアを含む現像剤付着が発生する。このため、感光体はキャリアによって傷つき、中間転写対や二次転写ローラにキャリアを含む現像剤が付着し、転写材の裏面にキャリアやトナーが付着し裏汚れになる。
【００６２】
比較例３は、比較例２に比べて、帯電出力を現像のＤＣバイアスの定常値にＯＮ又はゼロにＯＦＦしたことに応じて、それぞれＯＮ又はＯＦＦさせるようにしたことが異なる。帯電と現像ＤＣバイアスはある位相差によってＯＮ／ＯＦＦするが、このときキャリアを含む現像剤付着が発生すると感光体傷が発生するため、これを避けかぶりトナー付着が発生するシーケンスに設定する。このため非画像部でトナーを消費することになる。また、そのトナーにより転写材の裏面汚れが若干発生する。
【００６３】
比較例では、上記テストのごく初期から裏汚れがあるのに対し、本発明の実施例においては２０万コピーに亘って裏汚れは見られなかった。
【００６４】
本発明により、二次転写ローラ５Ａに清掃機構を設ける必要も無くなり、転写材Ｐへの裏汚れを解消し、二次転写手段の機構を簡素化し、取り扱い性の良い画像形成装置が提供できる。
【００６５】
以上の実施例は転写手段が図１で示したような一次転写手段と二次転写手段の両方を含む転写手段である場合であるが、転写手段としては、図１に示した無端ベルト状中間転写体７０の代わりに搬送ベルトを用い、図示はしてないがこの上に転写材を同期して搬送させ、１つの転写手段にて転写材Ｐ上に画像を一度に転写させる方式の画像形成装置にすることができるが、この転写手段に画像範囲と非画像範囲に亘って前述の一次転写手段と同じような条件の転写バイアスを与え、更に、現像のＤＣバイアス、ＡＣバイアス、帯電出力にも前述の実施例１、２と同じような条件にして上記と同様なテストを行った。結果はほぼ同じ良好なものであった。
【００６６】
また、多色合成することなく単色の画像を形成する画像形成装置においても、現像ローラ４１のＡＣバイアス、現像ＤＣバイアス、帯電出力、転写出力（印加バイアス）が画像範囲と非画像範囲とで実施例１、２とほぼ同じ条件設定によってテストした結果では、裏面汚れ、キャリア付着による感光体の傷ともに発生がなかった。またトナー消費量も正常であった。
【図面の簡単な説明】
【００６７】
【図１】本発明の画像形成装置の実施の形態としてのカラー用の画像形成装置を示す概略構成図である。
【図２】感光体の画像範囲及び非画像範囲、現像器の交番電流バイアスの出力制御及び１次転写バイアスの出力制御等を示す作動線図である。
【図３】画像形成部の拡大図である。
【符号の説明】
【００６８】
１Ｙ，１Ｍ，１Ｃ，１Ｋ  感光体
４Ｙ，４Ｍ，４Ｃ，４Ｋ  現像器
５Ｙ，５Ｍ，５Ｃ，５Ｋ  一次転写手段としての一次転写ローラ
５Ａ  二次転写手段としての二次転写ローラ
６Ｙ，６Ｍ，６Ｃ，６Ｋ  クリーニング手段
７  無端ベルト状中間転写体ユニット
１０Ｙ，１０Ｍ，１０Ｃ，１０Ｋ  画像形成部
４１  現像ローラ
４２  ＤＣバイアス
４３  ＡＣバイアス
５１  一次転写印加バイアス
７０  無端ベルト状中間転写体
Ｐ  転写材
【図１】
2006163347.tif 000004
【図２】
2006163347.tif 000005
【図３】
2006163347.tif 000006